(57)【要約】【課題】コンクリート打設用の型枠同士の連結が容易なコンクリート打設用型枠およびコンクリート打設用型枠の連結治具を提供する。【解決手段】  連結治具２０は、隣接するコンクリート打設用型枠１０を連結するためのものである。コンクリート打設用型枠１０は、コンクリート保持体１２と、コンクリート保持体１２の外側に設けられた余白部１４と含む。余白部１４には、貫通穴１６ａ，１６ｂが設けられている。連結治具２０は、一端の片２２ａと他端の片２２ｂとはそれぞれ同じ側に曲げられ、一端の片２２と他端の片との間の距離は、曲げられた箇所から離れるにしたがって狭まり、少なくとも一方は撓む構造を有している。２つのコンクリート打設用型枠１０を連結させる際に、連結治具２０は、片２２ａを貫通穴１６ａに挿入し、片２２ｂを貫通穴１６ｂに挿入し嵌め合わされる。【選択図】図８
2014029098.tif 000002
【特許請求の範囲】
【請求項１】
コンクリート保持体と、前記コンクリート保持体の周囲に設けられた余白部とを有し、
前記余白部に、隣接するコンクリート保持体と連結するための連結治具を挿入するための貫通穴が設けられているコンクリート打設用型枠。
【請求項２】
隣接するコンクリート打設用型枠を連結するための連結治具であって、
前記コンクリート打設用型枠は、コンクリート保持体と、前記コンクリート保持体の外側に設けられた余白部と含み、
前記余白部には、貫通穴が設けられ、
２つのコンクリート打設用型枠を隣接させたときに、前記貫通穴は、隣接するコンクリート打設用型枠の貫通穴と対応する位置に設けられ、
前記連結治具は、一端の片と他端の片とはそれぞれ同じ側に曲げられ、前記一端の片と前記他端の片との間の距離は、曲げられた箇所から離れるにしたがって狭まり、
前記一端の片および前記他端の片の少なくとも一方は、前記一端の片と前記他端の片との間の距離が離れる方向に撓む構造を有し、
２つのコンクリート打設用型枠を連結させる際に、前記一端の片を貫通穴に挿入し、前記他端の片を余白部の外側に回すように設定させる連結治具。
【請求項３】
隣接するコンクリート打設用型枠同士を連結するための連結治具であって、
前記コンクリート打設用型枠は、コンクリート保持体と、前記コンクリート保持体の外側に設けられた余白部と含み、
前記余白部には、第１の貫通穴と第２の貫通穴とが設けられ、
２つのコンクリート打設用型枠を隣接させたときに、前記第１の貫通穴は、隣接するコンクリート打設用型枠の第１の貫通穴と対応する位置に設けられると共に、前記第２の貫通穴は、隣接するコンクリート打設用型枠の第２の貫通穴と対応する位置に設けられ、
前記連結治具は、一端の片と他端の片とはそれぞれ同じ側に曲げられ、前記一端の片と前記他端の片との間の距離は、折り曲げられた箇所から離れるにしたがって狭まり、
前記一端の片および前記他端の片の少なくとも一方は、前記一端の片と前記他端の片との間の距離が離れる方向に撓む構造を有し、
２つのコンクリート打設用型枠網体を連結させる際に、前記一端の片が第１の貫通穴に挿入され、前記他端の片が第２の貫通穴に挿入される連結治具。
【発明の詳細な説明】
【技術分野】
【０００１】
本発明は、コンクリート打設用のコンクリート打設用型枠およびコンクリート打設用型枠の連結治具に関する。
【背景技術】
【０００２】
コンクリーの打設に当たって、エキスパンドメタルなどからなるコンクリート打設用型枠形成用パネルを用いることが提案されている（特許文献１参照）。
【０００３】
コンクリート打設する面積が大きい場合には、コンクリート打設用型枠形成用パネルを連結して用いている。この連結に当たって、そのパネルに穴を設け、その穴にボルトを創通して連結している。
【先行技術文献】
【特許文献】
【０００４】
【特許文献１】特許２７４４９９５号公報
【発明の概要】
【発明が解決しようとする課題】
【０００５】
本発明の目的は、コンクリート打設用の型枠同士の連結が容易なコンクリート打設用型枠およびコンクリート打設用型枠の連結治具を提供することにある。
【課題を解決するための手段】
【０００６】
１．コンクリート打設用型枠
本発明のコンクリート打設用型枠は、コンクリート保持体と、前記コンクリート保持体の周囲に設けられた余白部とを有し、
前記余白部に、隣接するコンクリート保持体と連結するための連結治具を挿入するための貫通穴が設けられている。
【０００７】
２．連結治具
第１の本発明の連結治具は、
隣接するコンクリート打設用型枠を連結するための連結治具であって、
前記コンクリート打設用型枠は、コンクリート保持体と、前記コンクリート保持体の外側に設けられた余白部と含み、
前記余白部には、貫通穴が設けられ、
２つのコンクリート打設用型枠を隣接させたときに、前記貫通穴は、隣接するコンクリート打設用型枠の貫通穴と対応する位置に設けられ、
前記連結治具は、一端の片と他端の片とはそれぞれ同じ側に曲げられ、前記一端の片と前記他端の片との間の距離は、曲げられた箇所から離れるにしたがって狭まり、
前記一端の片および前記他端の片の少なくとも一方は、前記一端の片と前記他端の片との間の距離が離れる方向に撓む構造を有し、
２つのコンクリート打設用型枠を連結させる際に、前記一端の片を貫通穴に挿入し、前記他端の片を余白部の外側に回すように設定させるものである。
【０００８】
第２の本発明の連結治具は、
隣接するコンクリート打設用型枠同士を連結するための連結治具であって、
前記コンクリート打設用型枠は、コンクリート保持体と、前記コンクリート保持体の外側に設けられた余白部と含み、
前記余白部には、第１の貫通穴と第２の貫通穴とが設けられ、
２つのコンクリート打設用型枠を隣接させたときに、前記第１の貫通穴は、隣接するコンクリート打設用型枠の第１の貫通穴と対応する位置に設けられると共に、前記第２の貫通穴は、隣接するコンクリート打設用型枠の第２の貫通穴と対応する位置に設けられ、
前記連結治具は、一端の片と他端の片とはそれぞれ同じ側に曲げられ、前記一端の片と前記他端の片との間の距離は、曲げられた箇所から離れるにしたがって狭まり、
前記一端の片および前記他端の片の少なくとも一方は、前記一端の片と前記他端の片との間の距離が離れる方向に撓む構造を有し、
２つのコンクリート打設用型枠網体を連結させる際に、前記一端の片が第１の貫通穴に挿入され、前記他端の片が第２の貫通穴に挿入されるものである。
【発明の効果】
【０００９】
本発明によれば、簡易にコンクリート打設用型枠同士の連結を行うことができる。
【図面の簡単な説明】
【００１０】
【図１】コンクリート枠体を模式的に示す図である。
【図２】コンクリート枠体及びコンクリート枠体の製法を説明するための模式図である。
【図３】コンクリート枠体を連結した状態を示す模式図である。
【図４】コンクリート枠体の連結部の変形例を模式的に示す上面図である。
【図５】コンクリート枠体の連結部の変形例を模式的に示す側面図であり、（Ｂ）は（Ａ）の逆側からみた図である。
【図６】連結治具を模式的に示す側面図である。
【図７】連結治具を模式的に示す上面図である。
【図８】連結治具を貫通穴に挿入し、コンクリート打設用型枠同士を連結した状態を示す図である。
【図９】コンクリート枠体の変形例を模式的に示す図である。
【図１０】連結治具を貫通穴に挿入し、コンクリート打設用型枠同士を連結した状態の変形例を模式的に示す図である。
【図１１】コンクリート枠体の変形例を模式的に示す図である。
【図１２】連結治具を貫通穴に挿入し、コンクリート打設用型枠同士を連結した状態の変形例を模式的に示す図である。
【発明を実施するための形態】
【００１１】
以下、本発明の好適な実施の形態について図面を参照しながら説明する。なお、本発明はこれら実施の形態に何ら限定されるものではなく、その要旨を逸脱しない範囲において、種々なる態様で実施しうる。
【００１２】
１．コンクリート打設用型枠
図１〜図３を参照しながら、コンクリート打設用型枠について説明する。
【００１３】
コンクリート打設用型枠１０は、コンクリート保持体１２と、コンクリート保持体１２の周囲に設けられた余白部１４とを有する。余白部１４に、隣接するコンクリート保持体１０と連結するための連結治具２０を挿入するための貫通穴１６ａ，１６ｂが設けられている。貫通穴１６ａ、１６ｂは、２つのコンクリート打設用型枠を隣接させたときに、図８に示すように、隣接するコンクリート打設用型枠の貫通穴１６ａ、１６ｂと対応する位置に設けられている。
【００１４】
コンクリート保持体１２は、たとえば、図１に示すように、エキスパンドメタルのような網目構造を有することができる。また、図２に示すように、穴１２ａ，１２ｂを有することができる。コンクリート保持体１２の穴１２ａ，１２ｂの形状は、特に限定されないが、図２に示すように細長い形状の穴１２ａと、円状の穴１２ｂの２種類を設けることができる。このように穴１２ａ，１２ｂを設けることで、打設されたコンクリートに含まれる水分や空気を外に排出することができる。なお、コンクリート保持体１２は、その機能を確保することができれば、パネル状のものやエキスパンドメタルのような網状板であってもよい。
【００１５】
コンクリート打設用型枠１０の材質としては、その機能を確保することができるものであれば特に限定されず、たとえば、剛材などの金属、木材などを適用することができる。
【００１６】
このコンクリート打設用型枠１０の連結の仕方以外についての型枠の使用方法については、公知のコンクリート打設用の型枠と同様の使用方法を適用することができる。
【００１７】
コンクリート打設用型枠１０は、一枚の金属板（鋼板など）からプレスなどで穴を開けてコンクリート保持体１２を設けると共に、余白部１４に貫通穴１６ａ，１６ｂを設け、その後、余白部１４を立ち上げて、コンクリート保持体１２と余白部１４とを一体成形により形成することができる。具体的には、コンクリート保持体１２の穴および余白部１４の貫通穴１６ａ，１６ｂは、切り込みを行うと同時に、穴を形成するために切り込みにおける端部を立ち上げることで形成することができる。コンクリート打設用型枠１０を一体成形により成形加工することで、型枠の強度を確保することができ、補強材が不要となる。なお、コンクリート保持体１２に溶接にて、余白部１４を設けてもよい。
【００１８】
２．連結治具
図３〜図８を参照しながら、連結治具を説明する。
【００１９】
連結治具２０は、隣接するコンクリート打設用型枠１０を連結するためのものであり、コンクリート打設用型枠１０の余白部１４に設けられた貫通穴１６ａ，１６ｂに挿入し、隣り合うコンクリート打設用型枠１０を連結する。連結治具２０は、一端の片２２ａと他端の片２２ｂとはそれぞれ同じ側に曲げられている。図６に示すように、一端の片２２ａと他端の片２２ｂとの間の距離は、曲げられた箇所から離れるにしたがって狭まるように設けられている。一端の片２２ａおよび他端の片２２ｂの少なくとも一方は、一端の片２２ａと他端の片２２ｂとの間の距離が離れる方向に撓む構造を有している。図４および図５に示すように、２つのコンクリート打設用型枠１０を連結させる際に、一端の片２２ａを貫通穴１６に挿入し、他端の片２２ｂを余白部１４の外端の外側に回すように（たとえば余白部１４の外端に当接させるように）することができる。また、図８に示すように、連結治具２０の両端２２ａ、２２ｂに対応して２つの第１および第２の貫通穴１６ａ，１６ｂが設けられた場合には、一端の片２２ａが第１の貫通穴１６ａに挿入され、他端の片２２ｂが第２の貫通穴１６ｂに挿入されるように構成してもよい。
【００２０】
図６および図７に示すように、連結治具２０の一端の片２２ａと他端の片２２ｂの少なくとも一方に、返し部２４を設けてもよい。返し部２４を設けることで、図８に示すように、連結治具２０が余白部１４から外れるのを防ぐことができる。
【００２１】
また、図９〜図１２に示すように、余白部１４の短手方向に、複数の連結治具２０を挿入するための貫通穴１６ａ，１６ｂのセットを複数設けてもよい。この場合に、一つの貫通穴１６ｃを隣り合うセットで共用させてもよいし、２つの貫通穴１６ａ，１６ｂのセットを隣り合う貫通穴のセットと独立して設けてもよい。
【００２２】
連結治具２０の材質としては、その機能を確保することができるものであれば特に限定されず、たとえば、剛材などの金属、木材などを適用することができる。
【００２３】
３．作用効果
本実施の形態に係る連結治具は、コンクリート打設用型枠１０の貫通穴１６（１６ａ，１６ｂ）に挿入し、嵌め合わせるのみで固定することができる。したがって、コンクリート打設用型枠の連結をワンタッチですることができるため、作業性が向上する。
【００２４】
本実施の形態は、本発明の範囲内において種々の変形が可能である。
【産業上の利用可能性】
【００２５】
本発明のコンクリート打設用の型枠および型枠の連結治具は、コンクリート打設の分野などの産業に適用されるものである。
【符号の説明】
【００２６】
１０  コンクリート打設用型枠
１２  コンクリート保持体
１４  余白部
１６ａ  貫通穴
１６ｂ  貫通穴
１６ｃ  貫通穴
２０  連結治具
２２ａ  連結治具の一端
２２ｂ  連結治具の一端
２４  返し部
【図１】
2014029098.tif 000003
【図２】
2014029098.tif 000004
【図３】
2014029098.tif 000005
【図４】
2014029098.tif 000006
【図５】
2014029098.tif 000007
【図６】
2014029098.tif 000008
【図７】
2014029098.tif 000009
【図８】
2014029098.tif 000010
【図９】
2014029098.tif 000011
【図１０】
2014029098.tif 000012
【図１１】
2014029098.tif 000013
【図１２】
2014029098.tif 000014